(57)【要約】  本発明は、手指／足指の爪面（ＳＯ）に図柄を印刷するための装置（１）を含むシステムに関し、−  データベース（５０）を含むサーバー（５）と、−  デジタルデータの形態の図柄を作成する端末（６ａ、６ｂ、６ｃ、６ｄ）であって、各端末はサーバー（５）と交信し、それにより、作成されたデータは前記サーバーに送られる、端末とを含み、−  前記サーバー（５）は受信データを階層的な方法によりパスワード及び／又は識別子によりアクセス可能な記憶領域（５ａ、５ｂ、５ｃ、５ｄ）に格納し、−  前記装置に接続されるタッチパッド（４）は、サーバー（５）と交信するため及び前記記憶領域（５ａ、５ｂ、５ｃ、５ｄ）の１つにアクセスするため及び手指／足指の爪面（ＳＯ）に印刷される図柄に対応する格納データをダウンロードするための手段を含む。【選択図】図１
2016527045.tif 000002
【特許請求の範囲】
【請求項１】
少なくとも１つの爪面（ＳＯ）に図柄を印刷するための少なくとも１つの装置（１）を含む印刷システムであって、前記装置が、
−  少なくとも１つの爪面（ＳＯ）を位置付けるための手段（１ｃ）と、
−  前記爪面（ＳＯ）の画像を取得するための光学装置（２ｂ）と、
−プリントヘッド（２ａ）と、
−  図柄を前記爪面（ＳＯ）に印刷するために前記プリントヘッド（２ａ）を移動するための手段（２、２ｃ、３）と、
−  制御装置であって、
−−  前記光学装置（２ｂ）と交信するための手段と、
−−  前記プリントヘッド（２ａ）が、前記図柄を前記爪面（ＳＯ）上に印刷するために移動するように、取得された前記爪面の前記画像に従って、且つ前記図柄に従って前記移動手段（２、２ｃ、３）を制御するための命令を含むコンピュータアプリケーションと
を備える制御装置とを含み、
−  前記システムが、
−−  前記装置（１）の少なくとも１つのリモートサーバー（５）であって、デジタルデータを記録する少なくとも１つのデータベース（５０）を備える、サーバーと、
−−  ユーザーコミュニティに属する一連の端末（６ａ、６ｂ、６ｃ、６ｄ）であって、前記各端末は、デジタルデータ形式の図柄を作成するための少なくとも１つの手段を備え、前記各端末は、作成された前記データが前記リモートサーバーに送られるようにインターネット網を介して前記リモートサーバー（５）と交信するための手段をさらに含む、端末と、
をさらに含み、
−  前記リモートサーバー（５）が前記受信デジタルデータを階層的な方法により格納する命令を含むコンピュータアプリケーションを備え、前記データは前記データベース（５０）の記憶領域（５ａ、５ｂ、５ｃ、５ｄ）に格納され、前記記憶領域は前記コミュニティの前記ユーザーのそれぞれに関連付けられ、パスワード及び／又は識別子経由でアクセス可能であり、
−  前記制御装置が、前記装置に脱着可能な方法により接続されるタッチスクリーンタブレット（４）の形態を有し、前記タブレットは、前記タブレットが前記記憶領域（５ａ、５ｂ、５ｃ、５ｄ）の少なくとも１つにアクセスし、そこに格納されている前記デジタルデータをダウンロートすることができるように、インターネット網を介して前記リモートサーバー（５）と交信するための手段を含み、前記ダウンロードデータは前記爪面（ＳＯ）に印刷される前記図柄に対応している
ことを特徴とする、システム。
【請求項２】
前記タッチスクリーンタブレット（４）が、前記リモートサーバーの前記記憶領域に格納されている前記デジタルデータを、デジタルライブラリにおいてアクセス可能な図柄の形態で表示する、請求項１に記載のシステム。
【請求項３】
前記タッチスクリーンタブレット（４）が、
−  前記図柄が印刷される前記爪面（ＳＯ）の画像をデジタルデータの形態で取得するために前記光学装置（２ｂ）を制御し、
−  取得された前記デジタルデータを前記リモートサーバー（５）に転送する
ための命令を含むコンピュータアプリケーションを備える、請求項１に記載のシステム。
【請求項４】
前記リモートサーバー（５）が、前記装置（１）に接続されている前記タッチスクリーンタブレット（４）の前記ユーザーに関係付けられている前記記憶領域（５ａ、５ｂ、５ｃ、５ｄ）に、前記受信デジタルデータを格納するための命令を含むコンピュータアプリケーションを備える、請求項３に記載のシステム。
【請求項５】
前記リモートサーバー（５）が、前記記憶領域（５ａ、５ｂ、５ｃ、５ｄ）のそれぞれに、又は事前に選択された前記コミュニティのユーザーの前記記憶領域に、前記受信デジタルデータを格納するための命令を含むコンピュータアプリケーションを備える、請求項３に記載のシステム。
【請求項６】
−  前記装置（１）が固有の識別子に関係付けられ、
−  爪面（ＳＯ）上の図柄の前記印刷の終了時に、前記リモートサーバーが前記装置により印刷された図柄の個数を計数することができるように、前記タッチスクリーンタブレット（４）が前記装置（１）の前記固有識別子を含む情報を前記リモートサーバー（５）に送る、
請求項１〜５のいずれか一項に記載のシステム。
【請求項７】
−  前記タッチスクリーンタブレット（４）が固有識別子に関係付けられ、
−  爪面（ＳＯ）上の図柄の前記印刷の終了時に、前記タブレットによりダウンロードされ、且つ前記装置（１）により印刷された図柄の個数を前記リモートサーバーが計数することができるように、前記タッチスクリーンタブレット（４）がこの固有識別子を含む情報を前記リモートサーバー（５）に送る、
請求項１〜６のいずれか一項に記載のシステム。
【請求項８】
−  前記リモートサーバー（５）が、所定の定期間隔内に計数された図柄の個数を計上する電子インボイスをこの間隔ごとに作成するための命令を含むコンピュータアプリケーションを備え、
−  前記リモートサーバー（５）が、作成された前記電子インボイスを支払機関（７）に自動的に送る手段を含む、
請求項６又は７のいずれか一項に記載のシステム。
【請求項９】
前記リモートサーバー（５）が、少なくとも１つの爪面に図柄を印刷するための複数の装置（１）に接続される、請求項１〜８のいずれか一項に記載のシステム。
【請求項１０】
少なくとも１つの爪面に図柄をための方法であって、
−  少なくとも１つの爪面（ＳＯ）を装置（１）のプリントヘッド（２ａ）の上に位置付けるステップと、
−  前記爪面（ＳＯ）の画像を取得するステップと、
−  前記爪面の取得された前記画像に従って、且つ前記図柄に従って、前記図柄を前記爪面（ＳＯ）上に印刷するように前記プリントヘッド（２ａ）を移動するステップと
を含み、前記方法は、
−  デジタルデータの形態の数個の図柄を作成するステップであって、前記図柄はユーザーコミュニティにより作成されるステップと、
−  このデータを前記装置（１）の少なくとも１つのリモートサーバー（５）に送り、それを記憶領域（５ａ、５ｂ、５ｃ、５ｄ）に階層的な方法により格納するステップであって、これらの記憶領域のそれぞれは、前記コミュニティの前記ユーザーのそれぞれに関連付けられており、パスワード及び／又は識別子経由でアクセス可能であるステップと、
−  タッチスクリーンタブレット（４）を前記装置（１）に脱着可能な方法により接続するステップであって、前記タブレットは、前記装置の制御装置として働くステップと、
−  前記タブレット（４）から前記リモートサーバー（５）の前記記憶領域（５ａ、５ｂ、５ｃ、５ｄ）の少なくとも１つにアクセスし、そこに格納されている前記デジタルデータをダウンロードするステップであって、ダウンロードされる前記データは、前記爪面（ＳＯ）に印刷される前記図柄に対応するステップと
をさらに含むことを特徴とする、方法。
【発明の詳細な説明】
【技術分野】
【０００１】
本発明は、少なくとも１つの爪面に図柄を印刷するためのシステム及び印刷方法に関する。
【０００２】
本発明は、マニキュアの技術分野、及びより具体的にはカスタマイズされたきめの細かい多色の複雑な図柄を爪に印刷することを可能にするプリンター型のマニキュア装置に関する。
【背景技術】
【０００３】
特許文献、米国特許第６０６７９９６号明細書（ＷＥＢＥＲ）、米国特許出願公開第２０１３／０１９７９９号明細書（ＢＩＴＨＯ）及び欧州特許第１２０４３４０号明細書（ＰＥＡＲＬ  ＴＥＣＨＮＯＬＯＧＹ）は、少なくとも１つの爪面に図柄を印刷することを可能にする装置について記述している。
【０００４】
この種類の装置は、一般的にレール上に搭載されて移動可能なプリントヘッド上に少なくとも１つの爪面を位置付けることを可能にする誘導装置を含んでいる。カメラ型の光学装置により爪面の画像の取得を可能にする。ユーザーが図柄を選んだとき、前記ヘッドが爪面上に前記図柄を印刷するように制御装置が爪面の取得された画像に従って、且つ前記図柄に従ってプリントヘッドの移動を制御する。
【発明の概要】
【発明が解決しようとする課題】
【０００５】
この種類の装置は、特に図柄を爪面に非常に正確に印刷することを可能にすることから、一般的に満足できる。ユーザーは、したがって、手作業で得ることは考えられない独創的な多形・多色の図柄で自分の爪を飾ることができる。しかし、ユーザーにとって利用可能な図柄の個数は、一般的に限られている。それらがデータベース（又は「ライブラリ」）の一部であり、その内容が限定され、且つ規制されるからである。
【０００６】
本発明の目的は、この状態を克服することである。本発明の目的は、特に、ユーザーにとって利用可能になり得る図柄の個数を迅速且つ簡単に増やすことである。
【課題を解決するための手段】
【０００７】
本発明により提案される解決方法は、少なくとも１つの爪面に図柄を印刷するための少なくとも１つの装置を含む印刷システムでであり、前記装置は、以下を含む：
−  少なくとも１つの爪面を位置付けるための手段、
−  爪面の画像を取得するための光学装置、
−  プリントヘッド、
−  爪面に図柄を印刷するためにプリントヘッドを移動させるための手段、
−  以下を含む制御装置：
−−  光学装置と交信するための手段、
−−  プリントヘッドが図柄を爪面上に印刷するためにプリントヘッドを動かすように、取得された爪面の画像に従って、且つ前記図柄に従ってプリントヘッドの移動手段を制御するための命令を含むコンピュータアプリケーション。
【０００８】
本発明の優れた特徴は、次のとおりである：
−  このシステムが以下：
−−  この装置の少なくとも１つのリモートサーバーであって、デジタルデータが記録される少なくとも１つのデータベースを含む、サーバ、
−−  ユーザーコミュニティに属する一連の端末であって、前記各端末は、デジタルデータの形態の図柄を作成する手段を少なくとも１つ備えており、前記各端末は、作成された前記データが前記リモートサーバーに送信されるようにインターネット網を介してリモートサーバーと交信するための手段をさらに含む、端末、
を含み、
−  リモートサーバーは、受信したデジタルデータを階層的に記憶するための命令を含むコンピュータアプリケーションを備え、デジタルデータはデータベースの記憶領域に格納され、この記憶領域はコミュニティのユーザーのそれぞれに関連付けられ、且つパスワード及び／又は識別子経由でアクセス可能であり、
−  制御装置は脱着可能な形態で装置に接続されるタッチスクリーンタブレットの形態であり、前記タブレットは、それが少なくとも１つのメモリ領域にアクセスし、そこに格納されているデジタルデータをダウンロードできるように、インターネット網を介してリモートサーバーと交信するための手段を備え、ダウンロードされる前記データは、爪面に印刷される図柄に対応している。
【０００９】
本発明のおかげで、ユーザーコミュニティは、リモートサーバーのデータベースをリアルタイムで無制限にカスタマイズし、且つ充実させることができる。各ユーザーは、これにより自分のタッチスクリーンタブレット経由でリモートサーバーに接続し、このデータベースに記録されている図柄のすべて又は一部を利用することができる。先行技術の前述装置に比して、「図柄」データベースは莫大となる。
【００１０】
本発明のその他の有利な特徴を以下に列挙する。これらの特徴のそれぞれは、単独の特徴としても、上述した優れた特徴との組み合わせにおいても高く評価し得る：
−  タッチスクリーンタブレットは、有利に、リモートサーバーの記憶領域に格納されているデジタルデータをデジタルライブラリにおいて利用可能な図柄の形態で表示する。
−  タッチスクリーンタブレットは、図柄の印刷される爪面の画像をデジタルデータの形式で取得するために光学装置を制御するための命令及び取得したデジタルデータをリモートサーバーに送るための命令を含むコンピュータアプリケーションを備えることができる。
−  リモートサーバーは、有利に、装置に接続されたタッチスクリーンタブレットのユーザーに関係付けられている記憶領域に、又は記憶領域のそれぞれに、又は事前に選択されたコミュニティのユーザーの記憶領域に受信デジタルデータを格納するための命令を含むコンピュータアプリケーションを備える。
−  この装置は、固有の識別子に関連付けられることが望ましく、爪面に対する図柄の印刷後にタッチスクリーンタブレットは、前記リモートサーバーが前記装置により印刷された図柄の個数を計数できるように、この固有識別子を取り入れた情報をリモートサーバーに送出する。
−  タッチスクリーンタブレットは、固有の識別子に関連付けられることが望ましく、爪面に対する図柄の印刷後に、前記タブレットによりダウンロードされ、その装置により印刷された図柄の個数を前記リモートサーバーが計数できるように、タッチスクリーンタブレットはこの固有識別子を取り入れた情報をリモートサーバーに送出する。
―  リモートサーバーは、望ましくは、所定の定期間隔内に計数された図柄の個数を計上する電子インボイスをこの間隔ごとに作成するための命令を含むコンピュータアプリケーションを備える。リモートサーバーは、さらに、作成された電子インボイスを支払い組織に自動的に送る手段を含む。
−  リモートサーバーは、少なくとも１つの爪面に図柄を印刷するための複数の装置に接続することができる。
【００１１】
本発明の別の側面は、少なくとも１つの爪面に図柄を印刷するための方法に関する。この方法は、以下のステップを含む：
−  少なくとも１つの爪面を装置のプリントヘッドに位置付けるステップ、
−  爪面の画像を取得するステップ、
−  前記図柄を爪面に印刷するように、取得した爪面の画像に従って、且つ図柄に従ってプリントヘッドを移動するステップ、
−  デジタルデータの形態の数個の図柄を作成するステップであって、この図柄は、ユーザーコミュニティにより作成されるステップ、
−  このデータを装置の少なくとも１つのリモートサーバーに送り、それを記憶領域に階層的な方法により格納するステップであって、記憶領域のそれぞれはコミュニティのユーザーのそれぞれに関係付けられており、それはパスワード及び／又は識別子経由でアクセス可能であるステップ、
−  タッチスクリーンタブレットを装置に脱着可能な方法により接続するステップであって、前記タブレットは、前記装置の制御装置として働くステップ、
−  タブレットからリモートサーバーの記憶領域の少なくとも１つにアクセスし、そこに格納されているデジタルデータをダウンロードするステップであって、ダウンロードされる前記データは、爪面に印刷される図柄に対応するステップ。
【００１２】
本発明のその他の利点及び特徴は、好ましい実施形態について添付図面を参照して記述され以下の説明の読了により一層明らかとなるであろう。限定ではなく、参考を目的とする添付図面の内容は、次のとおりである。
【図面の簡単な説明】
【００１３】
【図１】図１は、本発明による印刷システムを示す。
【図２】図２は、タッチスクリーンタブレットの画面に表示される図柄のデジタルライブラリの一例を示す。
【発明を実施するための形態】
【００１４】
図１は、少なくとも１つの爪面ＳＯ上に図柄を印刷するための装置１を示す。この装置１は、たとえば、当業者が参照できる前述の特許文献、米国特許出願公開第２０１３／０１９７９９号明細書（ＢＩＴＨＯ）又は欧州特許第１２０４３４０号明細書（ＰＥＡＲＬ  ＴＥＣＨＮＯＬＯＧＹ）に記載されている種類の爪用プリンターの形態を有する。
【００１５】
より具体的には、装置１は、平行六面体、長円形、円形又はその他の形状のケース１ａ、その前面に設けられている開口部１ｂ（少なくともユーザーの片方の手の指Ｄを通す）を備えている。開口部１ｂの寸法は、ユーザーの１本の指又は数本の指及び特に片手の指全部、及び好ましくは両手（又は両足）の指全部が通るように決めることができる。
【００１６】
開口部１ｂは、ケース１ａの内部にあるハウジングに対して開いており、このハウジングの中に指Ｄを位置付ける。このハウジングには、少なくとも１つの爪面ＳＯが置かれる手段１ｃが設けられている。この手段１ｃは、たとえば、米国特許出願公開第２０１３／０１９７９９号明細書（ＢＩＴＨＯ）において前記文献の図５Ａ〜１１を参照して記述されている種類の誘導装置の形態、又は特許文献欧州特許第１２０４３４０号明細書（ＰＥＡＲＬ  ＴＥＣＨＮＯＬＯＧＹ）において前記文献の図１Ａ又は４Ａを参照して記述されている種類の紙型の形態を有する。位置付け手段１ｃは、爪面ＳＯを印刷装置の方向にむけて適切な位置に置き、且つ維持するように構成されている。
【００１７】
図１の例では、印刷装置は、レール３に搭載されるキャリッジ２を含んでいる。キャリッジ２にはプリントヘッド２ａ及び場合によっては爪面ＳＯの画像を取得するための光学装置２ｂが設けられている。
【００１８】
プリントヘッド２ａは、有利にインクジェット法を使用する。この方法では、インクは微細液滴として噴射され、爪面ＳＯ上に堆積する。しかし、他の印刷方法も考慮され得る。プリントヘッド２ａは、インクカートリッジ（示されていない）に接続されており、たとえばブラックインクを噴射する１列のノズル、シアンインクを噴射する１列のノズル、マゼンダインクを噴射する１列のノズル、イエローインクを噴射する１列のノズル等を含んでいる。使用されるインクは、当業者周知の種類のものであり、爪面印刷向けに適合される。
【００１９】
光学装置２ｂは、たとえばデジタル写真セル又はＣＣＤカメラの形態であり、プリントヘッド２ａの側面又は上に搭載され、印刷前、印刷中又は印刷後における爪面ＳＯの構造のスキャンを可能にする。
【００２０】
レール３は、キャリッジ２が少なくとも水平面において左右及び前後に移動できるように配置される。レールは、キャリッジ２が垂直面において上下に移動できるように配置することもできる。モーター２ｃは、レール３上でキャリッジ２を移動させる。示されていない１つの代替的な実施形態では、一方の側にプリントヘッド２ａ、反対側に光学装置２ｂとして、それぞれ、電動キャリッジの上に設けることが考えられる。もう１つの代替的な実施形態では、光学装置２ｂは固定とし、プリントヘッド２ａのみ可動としてキャリッジ２と連動させる。
【００２１】
制御装置として働くタッチスクリーンタブレット４は、装置１に脱着可能な方法により接続される。この発明の考え方では、タッチスクリーンタブレットは、主インターフェースとしてタッチスクリーン４ａを有するタブレット（たとえば：ＩＰａｄ（登録商標）又はＳａｍｓｕｎｇ（登録商標））の形態の任意の携帯コンピュータ端末を意味する（スマートフォンを含む）。実際には、タブレット４には、再充電可能電池、マザーボード、１個又は数個のプロセッサ及び記憶領域が設けられる。この記憶領域に記録される種々のコンピュータアプリケーションの命令がこの明細書において言及されている種々の機能の実装を可能にする。オペレーティングシステムは、当業者周知の種類のものである（たとえば：Ａｎｄｒｏｉｄ（登録商標）、ＢｌａｃｋＢｅｒｒｙ  ＯＳ（登録商標）、ｉＯＳ（登録商標）；Ｗｉｎｄｏｗｓ（登録商標）；等）。
【００２２】
タッチスクリーンタブレット４には、装置２に設けられている補助コネクタ２ｄと協働するコネクタ４ｄが取り付けられており、前記タブレットと前記装置の構成要素間でデータを交換することができる。これは、物理的接続（たとえば：ＵＳＢポート又はシリアルポート又はＳＤカードリーダー）又は無線接続（たとえば：Ｗｉｆｉ、Ｂｌｕｅｔｏｏｔｈ(登録商標））とすることができる。このコネクタは、特にタブレット４が光学装置２ｂと交信すること及びプリントヘッド２ａ及びモーター２ｃを対象とする命令を作成することを許可する。より具体的には、爪面ＳＯが装置１において適切な位置に置かれたときに、タブレット４がキャリッジ２の移動を命令し、それにより光学装置２ｂが前記爪面の画像を取得する。次に、タブレット４は、スキャンされた爪面ＳＯの構造を分析し、且つユーザーにより事前に選択されている図柄を前記爪面に合わせるためにその倍率を決定することができる。タブレット４は、次に取得した爪面ＳＯの画像に従って、且つ選択された図柄に従って、その図柄が爪面に印刷されるようにプリントヘッド２ａの移動を制御する。
【００２３】
図１では、装置１の少なくとも１つのリモートサーバー５は、デジタルデータを記録することができるデータベース５０を少なくとも１つ含んでいる。データの保存及び確保を最適化するために複数のリモートサーバーを使用することができる。周知の方法では、サーバー５は、一般的に、１個又は数個のプロセッサ５１及び種々のコンピュータアプリケーションを記録する少なくとも１個の記憶装置を有するコンピュータの形態である。以下において、これらのアプリケーションの命令が実装する機能について説明する。リモートサーバー５の管理は、たとえば、装置１の所有者である１人又は数人の操作者により可能である。表現「リモートサーバー」は、本発明では「クラウド」として知られている記憶領域としても理解されなければならない。
【００２４】
ユーザーコミュニティ（たとえばＦａｃｅｂｏｏｋ（登録商標）コミュニティ）に属する一連の移動又は固定端末６ａ、６ｂ、６ｃ、６ｄは、インターネット網を介してリモートサーバー５と交信する。実際には、端末６ａ、６ｂ、６ｃ、６ｄ及びサーバー５は、それぞれ、モデム、イーサーネット接続、Ｗｉｆｉ接続、又はその他経由でこの通信を可能にする送信器／受信器を備えている。この方法により、データを端末６ａ、６ｂ、６ｃ、６ｄからリモートサーバー５へ移し、他のデータを前記サーバーから前記端末に移すことができる。端末６ａ、６ｂ、６ｃ、６ｄとリモートサーバー５との間を移動するデータは、ＨＴＴＰ−Ｓ型の安全なインターネット接続経由で交換されることが望ましい。
【００２５】
端末６ａ、６ｂ、６ｃ、６ｄは、タッチスクリーンタブレット、携帯電話機、携帯情報端末型（ＰＤＡ）の装置、ＢｌａｃｋＢｅｒｒｙ（登録商標）型の装置、固定又は携帯ＰＣコンピュータ、又はインターネット通信網に接続できるその他の通信端末のいずれでもよい。各端末６ａ、６ｂ、６ｃ、６ｄは、デジタルデータ形式の図柄を作成するための少なくとも１つの手段を含んでいる。これは、たとえば内蔵カメラ装置又はＰＡＩＮＴ（登録商標）型のドローソフトウェアとすることができる。この発明では、「図柄」は、爪面ＳＯ上に印刷できる任意のパターンを意味する：写真、肖像画、美術意匠、顔文字の定型化顔絵、アイコン、ロゴ、旗、文章、複雑な形状等。図柄が作成されたとき、関連デジタルデータが自動的に又はユーザーによる端末上の特定の操作、たとえば専用キーの入力に応じてリモートサーバー５に送られる。端末６ａ、６ｂ、６ｃ、６ｄは、当該図柄を作成したユーザーを識別することを可能にする固有の識別子に関係付けることが望ましい。この識別子は、たとえば数字又は英数字の文字列の形態を有する。
【００２６】
リモートサーバー５は、このデータを受け取ったとき、データベース５０の記憶領域５ａ、５ｂ、５ｃ、５ｄに階層的な方法により、それを格納する。これらの記憶領域５ａ、５ｂ、５ｃ、５ｄは、コミュニティのユーザーのそれぞれに関連付けられ、パスワード及び／又は識別子経由でアクセス可能である。実際には、コミュニティの各ユーザーは自分自身の記憶領域をもち、この領域は、当該図柄を作成したユーザーを識別することを可能にする識別子に対応する固有の識別子により指示される。デジタルデータが端末６ａ、６ｂ、６ｃ、６ｄにより送られたとき、このデータは有利に前記端末及び／又はそのユーザーの識別子に関係付けられる。したがって、サーバー５は、受け取ったデータのすべてを分析することにより、当該識別子を抽出し、且つそれに関係付けられるデジタルデータをこのデータを送出した端末６ａ、６ｂ、６ｃ、６ｄのユーザーに割り当てられている記憶領域５ａ、５ｂ、５ｃ、５ｄに差し向けることができる。したがって、各ユーザーは、爪面に印刷できる図柄のライブラリをリアルタイムで実際上無制限に構成することができる。
【００２７】
タブレット４は、インターネット接続経由でサーバー５に自動的に接続することにより、記憶領域５ａ、５ｂ、５ｃ、５ｄの少なくとも１つにアクセスし、且つそこに格納されたデジタルデータをダウンロードできるようにする。このダウンロードされるデータは、爪面ＳＯに印刷される図柄に対応する。これを行うために、タブレット４の接続に対する応答として、リモートサーバー５は、前記タブレットに対しパスワード及び／又は識別子を要求する要求を送ることができる。この識別子は、端末６ａ、６ｂ、６ｃ、６ｄに関して上述の識別子に対応する。タブレット４のユーザーは、前記タブレットから要求された情報を入力し、それをリモートサーバー５に送る。この情報の確認の後、リモートサーバー５は、入力された識別子に対応する記憶領域５ａ、５ｂ、５ｃ、５ｄに対するアクセスを許可する。この識別子は、場合によってはＮＦＣカードに収容することもでき、その場合にはこの識別を許可するためにユーザーはこのカードをタブレット４の前面に提示するだけでよい。したがってタブレット４は、許可された記憶領域に格納されている図柄のすべてにアクセスすることができる。コミュニティの各ユーザー（たとえば：「ジュリー」）は、前記コミュニティの１人又は数人の他のユーザー（たとえば：「マリー」及び「ベネディクト」）に自分自身の記憶領域へのアクセスを許可することができる。リモートサーバー５が、この場合、一定の権利を「マリー」及び「ベネディクト」に与えるので、彼女たちは「ジュリー」の記憶領域に格納されているデータにアクセスすることができる。「マリー」が自分のタブレット４経由でリモートサーバー５に接続し、データベース５へのアクセスが与えられたとき、前記タブレットは自己専用の記憶領域（たとえば記憶領域５ａ）に格納されているデータのみならず、「ジュリー」の記憶領域（たとえば記憶領域５ｂ）にもアクセスすることができる。
【００２８】
リモートサーバー５に接続することにより、タブレット４は、その画面４ａ上に前記サーバーにより作成されたデジタルライブラリを表示する。このライブラリは、リモートサーバー５によりアクセスの許可されている記憶領域５ａ及び／又は５ｂ及び／又は５ｃ及び／又は５ｄに含まれているデジタルデータに関連する図柄のすべてを表示する。図２を参照する。選択可能な要素の形態４ｂ、たとえば、画面４ａ上で押すことにより選択することができるアイコンで図柄が表示されている。選択可能な要素４ｂの選択により、タブレット４からリモートサーバー５に送られる制御情報が生成される。リモートサーバーは、選択された図柄に対応するデジタルデータのすべてをタブレット４に転送する。したがって前記データが前記タブレットにダウンロードされる。このダウンロードは、サーバー５による制御情報の受信に対する応答として生じ得る。このダウンロードは、事前においても、たとえば識別ステップにおいて直ちに生じ得る。この場合、当該ライブラリに登録されている図柄に対応するデータのすべてが事前にダウンロートされるが、選択された図柄に対応するもののみ起動される。ダウンロードされたこのデータは、いまや、この図柄を爪面ＳＯに印刷する際に前に説明したようにキャリッジ２を制御するために考慮される印刷データである。
【００２９】
爪面ＳＯ上に選択された図柄を印刷した後、ユーザーは、上述のように飾られた自分の爪の写真をコミュニティの他のメンバーと共用することが有利であると思うかもしれない。前述の例を再び取り上げる。「マリー」は、自分の爪の写真を「ジュリー」と「ベネディクト」及びコミュニティ全体にさえ送りたくなるかもしれない。これを行うために、タブレット４は、光学装置２ｂを制御する命令を作成し、それにより、光学装置は、当該図柄の印刷された爪面ＳＯの画像をデジタルデータの形式で取得する。次にタブレット４は、取得したデジタルデータをリモートサーバー５に転送する。リモートサーバー５は、このデータを装置１に接続されているタッチスクリーンタブレット４のユーザーに関連付けられている記憶領域（たとえば「マリー」専用の記憶領域５ａ）中に、又は記憶領域５ａ、５ｂ、５ｃ、５ｄのそれぞれの中に、又は事前に選択されたコミュニティのユーザーの記憶領域（たとえば「マリー」専用の記憶領域５ａ及び「ベネディクト」専用の記憶領域５ｃ）中に格納する。これにより、光学装置２ｂにより取得されたデジタルデータが記録されている記憶領域のユーザーは、対応する図柄を自分たちの爪に印刷するためにこのデータをダウンロードすることができる。
【００３０】
装置１は、有利に固有の識別子、一般的に数字又は英数字の文字列と関係付けられる。爪面ＳＯへの図柄の印刷の終了時、タブレット４は、この固有識別子を含む情報をリモートサーバー５に送る命令を作成する。したがってリモートサーバー５は、装置１が爪面ＳＯへの図柄の印刷を実行したことをリアルタイムで通知され、そして前記装置により印刷された図柄の個数を計数することができる。したがって、リモートサーバー５は、所定の定期間隔で（たとえば、毎日、毎月、毎四半期又は毎年）この期間中に計数された図柄の個数に基づく電子インボイスを作成する。それが作成されるとすぐに、このインボイスは自動的に支払機関７（図１）にＨＴＴＰ−Ｓ型の安全なインターネット接続経由で送付される。支払機関７は、たとえば、装置１が設置される美容機関から成る。
【００３１】
１つの代案的な実施形態では、インボイスを受け取るのはタブレット４のユーザーである。爪面ＳＯ上の図柄の印刷後、タブレット４は、前記タブレットに関連付けられている固有の識別子を含む情報をリモートサーバー５に送る命令を作成する。リモートサーバー５は、次に、前記タブレットによりダウンロードされ、装置１により印刷された図柄の個数を計数することができる。前項で述べたように、リモートサーバー５は、所定の定期間隔内に計数された図柄の個数に基づく電子インボイスを作成し、それを自動的に支払機関６（それは、この場合、タブレット４のユーザー）に送る。
【００３２】
タブレット４は、故障又はカートリッジにおけるインクレベルの低下など装置１の作動に関するその他の情報をリモートサーバー５に転送することができる。リモートサーバー５は、次に、報告された問題を是正するため及び／又は維持管理を行うために介在者に通知することができる。さらに、リモートサーバー５に接続されている開発機関８は、定期的に前記サーバーを点検し、且つ更新することができる。
【００３３】
以上において記述された実施形態における本システムの種々の要素の構成は、実装のすべてにおいて必要な構成であると理解してはならない。いずれにせよ、当然のことながら、本発明の着想及び範囲から逸脱することなく本システム及び本方法に対する種々の変更が可能である。特に、リモートサーバー５は、上記において記述された装置１に類似するいくつかの装置に接続することができる。また、デジタルデータは、複数のリモートサーバーに格納することができる。本発明は、さらに、自然のままの爪に貼りつけることを目的とする人工爪の表面に対する図柄の印刷を含むものとして理解されるべきである。
【図１】
2016527045.tif 000003
【図２】
2016527045.tif 000004
【国際調査報告】
2016527045.tif 000005
2016527045.tif 000006
2016527045.tif 000007
2016527045.tif 000008